(57)【特許請求の範囲】
【請求項１】
氷片が入った容器に原料液と炭酸液とを吐出して高炭酸飲料を供給する方法において、最初に原料液を氷片に接触させながら吐出し、該原料液の吐出が終了した後、炭酸液を容器に吐出し、
前記原料液を前記容器の中央部に吐出し、
前記原料液を複数の孔を備えた原料液ノズルから吐出するものであることを特徴とする高炭酸飲料の供給方法。
【請求項２】
炭酸液を容器の内壁面に沿うようにして吐出することを特徴とする請求項１記載の高炭酸飲料の供給方法。
【請求項３】
炭酸液の吐出方向を容器の内壁面の水平接線方向に対して角度θだけ傾斜させることを特徴とする請求項２記載の高炭酸飲料の供給方法。
【請求項４】
容器を上下方向及び左右方向の２方向に位置決めすることを特徴とする請求項１ないし３のいずれか一項に記載の高炭酸飲料の供給方法。
【発明の詳細な説明】
【技術分野】
【０００１】  本発明は、飲料液と炭酸液とを混ぜた炭酸飲料を供給する方法であり、更に詳しくは、炭酸液の炭酸ガスが抜けにくい高炭酸飲料を供給する方法に関する。
【背景技術】
【０００２】  現在、人手に換えて炭酸飲料を供給する飲料ディスペンサが使用されている。  この炭酸飲料を供給する飲料ディスペンサは、炭酸液と原料液をそれぞれノズルから別々に容器に供給して飲料液とするものである。【０００３】  このような飲料ディスペンサとして例えば、特許文献１には、ベース飲料（酎ハイ等）と添加シロップを各ノズルから同時にカップに供給する構造の飲料ディスペンサが提供されている。  この飲料ディスペンサでは、ベース飲料用のノズルと添加シロッ用のノズルとは左右に近接して並んで配置される構造となっているため、ベース飲料（酎ハイ等）と添加シロップは同じ方向に吐出される。【０００４】  しかしカップ内に氷が存在する場合は、吐出されたベース飲料が直接、氷の粗い表面に衝突することにより、ベース飲料に含まれている炭酸水から炭酸ガスが分離して抜け出す。  その結果、炭酸ガスの溶け込み率の低い、いわゆる炭酸の効きが悪い飲料液となってしまう。  このような問題点を解決するものとして、特許文献２に示すような飲料液供給装置が開発されている。【０００５】  この飲料液供給装置は、液体飲料を吐出するノズルチューブと、希釈液を吐出する希釈液ノズルのそれぞれの吐出口を一定距離、離して備えたもので、各ノズルからカップレストに置かれた飲料容器に液体原料と希釈液とを吐出して調製する装置である。  そして、希釈液ノズルの希釈液吐出口を飲料容器の内壁面に対峙するように配設し、希釈液を内壁面に向けて吐出して流下させるものである。【０００６】  このような構造を有することで、この飲料液供給装置は希釈液を吐出する場合、前者の特許文献１の飲料ディスペンサに比べると、希釈液が直接、氷に衝突することが回避される。  そのため、炭酸ガスの抜け出しが少なくなり、いわゆる炭酸の効きがよい高炭酸の飲料を調製することができる。
【先行技術文献】
【特許文献】
【０００７】
【特許文献１】特開２００１−１７１７９６公報
【特許文献２】実用新案登録第３１７９２２４号公報
【発明の概要】
【発明が解決しようとする課題】
【０００８】  しかし、この飲料液供給装置においては、炭酸液である希釈液はウィスキー等の液体飲料より前か、或いは同時に飲料容器に吐出されるものなので、バリ（氷表面の棘状の細かな凹凸）等のある粗い面を有する氷片に接触すると、希釈液に含まれている炭酸ガスが抜け出してしまう問題がある。  またノズルの配置構造においても希釈液ノズルの希釈液吐出口を飲料容器の内壁面に対峙するように配設しているので、希釈液は容器内の氷には衝突しにくいものの、内壁面に直接衝突することとなる。  そのため、容器の内壁面への衝突時に炭酸液に含まれている炭酸ガスが抜け出してしまう。  本発明は、このような技術的な問題点を解決するものである。【０００９】  すなわち、本発明は、飲料容器に入っている氷片と炭酸液（希釈液）との接触により炭酸液から炭酸ガスが極力抜け出すようなことがない高炭酸飲料の供給方法を提供することを目的とし、更には炭酸液が容器の内壁面に衝突して炭酸液から炭酸ガスが極力抜け出すこともない高炭酸飲料の供給方法を提供することを目的とする。
【課題を解決するための手段】
【００１０】  本発明者等は、以上のような課題背景をもとに鋭意研究を重ねた結果、原料液ノズルから吐出される原料液と炭酸液ノズルから吐出される炭酸液との吐出タイミングを特定することにより、炭酸液がその吐出時に氷片と接触しても炭酸ガスが抜け出しにくい状態を作り得ることを見出し、この知見に基づいて本発明を完成させたものである。【００１１】
すなわち本発明は、（１）、氷片が入った容器に原料液と炭酸液とを吐出して高炭酸飲料を供給する方法において、最初に原料液を氷片に接触させながら吐出し、該原料液の吐出が終了した後、炭酸液を容器に吐出し、原料液を容器の中央部に吐出し、原料液を複数の孔を備えた原料液ノズルから吐出するものである高炭酸飲料の供給方法に存する。
【００１２】  すなわち本発明は、（２）、炭酸液を容器の内壁面に沿うようにして吐出する上記（１）記載の高炭酸飲料の供給方法に存する。【００１５】
すなわち本発明は、（３）、炭酸液の吐出方向を容器の内壁面の水平接線方向に対して角度θだけ傾斜させる上記（２）記載の高炭酸飲料の供給方法に存する。
【００１６】
すなわち本発明は、（４）、容器を、上下方向及び左右方向の２方向に位置決めする上記（１）ないし（３）のいずれか１つに記載の高炭酸飲料の供給方法に存する。
【００１７】  なお、本発明の目的に添ったものであれば、上記の各発明の構成を適宜組み合わせた構成も採用可能である。
【発明の効果】
【００１８】  本発明は、氷片７が入った容器６に原料液と炭酸液とを吐出して高炭酸飲料を供給する方法において、最初に原料液を氷片７に接触させながら吐出し、該原料液の吐出が終了した後、炭酸液を容器６に吐出するものなので、最初に、原料液によって氷片７の表面のバリ等が溶けて消失し粗い表面が滑らかになる。併せて、原料液の吐出により氷の表面が原料液でコーティングされた状態になるので氷片７の表面が更に滑らかになる。  そのため、後ほど吐出される炭酸液が氷片７と接触しても炭酸液に含まれる炭酸ガスは抜け出さない。  また炭酸液を容器６の内壁面に沿うようにして吐出することにより、炭酸液が容器６の内壁面に直接、衝突することはないので、炭酸水に含まれる炭酸ガスが抜け出さない。  原料液を位置決めされた容器６の中央部に吐出することにより、入っている氷片７の全体に偏りなく降りかけられる。  ここで中央部とは平面視における中央部をいう。  原料液を複数の孔を備えた原料液ノズル１から吐出するものであることにより、より確実に氷片７の全体に偏りなく降りかけられる。  炭酸液の吐出方向を容器の内壁面の水平接線方向に対して角度θだけ傾斜させることにより、炭酸液が確実に内壁面に沿って吐出でき、炭酸水に含まれる炭酸ガスが抜け出さない。  容器の位置を、上下方向及び左右方向の２方向に位置決めすることにより、容器を原料液ノズルと炭酸液ノズルに対し適切な位置に簡便に位置決めすることができる。
【図面の簡単な説明】
【００１９】
【図１】図１は、本実施形態の高炭酸飲料の供給方法を示す工程図である。
【図２】図２は、炭酸ガス抜け出し要因を説明する模式図であり、（Ａ）は炭酸ガス抜け出し要因１を、また（Ｂ）は、炭酸ガス抜け出し要因２を説明する模式図である。
【図３】図３は、高炭酸飲料の供給装置が備わっている炭酸飲料液サーバ装置を示す全体概略図である。
【図４】図４は、ガイド部を拡大して示す斜視図である。
【図５】図５は、ガイド部と容器上部との配設関係を拡大して示す図であり、（Ａ）は、容器を位置決めする前、（Ｂ）は、容器を位置決めした後を示す。
【図６】図６は、容器を示す図であり、（Ａ）は氷片を入れる前の状態、また（Ｂ）は氷片を入れた後の状態を示す。
【図７】図７は、原料液ノズルと炭酸液ノズルと容器の内壁面との配設関係を示した概略斜視図である。
【図８】図８は、原料液ノズルと炭酸液ノズルと容器の内壁面との配設関係を示した概略図であり、（Ａ）は正面図、また (Ｂ)は背面図を断面で示す。
【図９】図９は、原料液ノズルのノズル口部の例を示す図であり、（Ａ）は、縦断面図、また(Ｂ)は、底面図を示す。
【図１０】図１０は、炭酸液ノズルの開口面と容器の内壁面との傾斜関係を説明する図である。
【図１１】図１１は、原料液追加用ノズルを設けた高炭酸飲料の供給装置が備わっている炭酸飲料液サーバ装置を示す全体概略図である。
【図１２】図１２は、原料液追加用ノズルを設けた場合における容器内壁面との配設関係を示した概略斜視図である。
【図１３】図１３は、原料液タンクから、直接、原料液ノズルに原料液を流すようにした高炭酸飲料の供給装置における原料液流路の説明図である。
【図１４】図１４は、図３に示す高炭酸飲料の供給装置における原料液流路の説明図を示す。
【発明を実施するための形態】
【００２０】  本発明の一実施形態を、図面を用いて説明する。  図１は本実施形態の高炭酸飲料の供給方法を示す工程図である。  図１に示すように、本実施形態の高炭酸飲料の供給方法は、２つの工程を有する。  すなわち高炭酸飲料の供給方法においては、最初に、氷片７を入れた容器６に原料液を氷片７に接触させながら吐出する工程（「原料液吐出工程」）が遂行され、その後、炭酸液を容器６の内壁面に接触させながら吐出する工程（「炭酸液吐出工程」）が遂行される。
【００２１】  本発明では、この二つの工程を明確に区別し、「炭酸液吐出工程」は、必ず「原料液吐出工程」の後工程とし、両者間で前後差を設けていることが大きな特徴である。  この前後差を設けることにより炭酸液が粗い氷片７の表面に接触することなく滑らかになった氷片７の表面に接触することとなる。  そのため炭酸液に溶けている炭酸ガスが抜け出ることはなく、高炭酸の飲料液が得られるのである。
【００２２】  ここで原料液とは、アルコール含有飲料（例えばウィスキー、ブランデー、焼酎、リキュール等）、果汁液等の液であり、炭酸液とは炭酸ガスを含んだ、原料液希釈のための液である。  本発明では、これら原料液と炭酸液とが容器６内で混合されて高炭酸の飲料液となる。  また氷片７（氷塊）としては、その表面がまだ円滑化されていなく、バリ等のある表面が粗いもので、形状としては立方体、球形、角形体等の種々のものが好ましく使用される。  尤も、氷の表面が滑らかになった氷片も使用可能なことはいうまでもない。  この場合であっても、原料液の吐出により氷の表面が原料液でコーティングされた状態になることから、その後の炭酸液吐出での炭酸液と氷との接触による炭酸ガス抜けが抑制される。
【００２３】１）原料液吐出工程  容器６内にある氷片７に対して偏りなく効率的に原料液が降りかかるようにするために原料液ノズル１は、容器６の中央部に位置するように設けられている。  なお、後述するが、容器６は容器の受け部３の上にガイド部４により一定の場所に位置決めされる。  最初に原料液をこの原料液ノズル１から吐出させるが、位置決めされた容器６の中央部に吐出する。  その結果、原料液は偏りなく容器内にある氷片７全体に散布される。
【００２４】  また原料液ノズル１は複数の孔Ｈを有するので（図９参照）、該ノズルの中心から外方向に放射状に広がった状態で吐出される。  その結果、原料液は、より確実に偏りなく容器内にある氷片７全体に散布される。  原料液は常温でも冷却されたものでもよく、常温の場合は主に原料液と氷との温度差により、また冷却されていた場合は原料液と氷との接触による反応熱により、原料液の散布を受けた氷片７は、その表面に存在するバリが溶けてなくなり、表面が均一に且つ滑らかになる。併せて、原料液の吐出により氷の表面が原料液でコーティングされた状態になるので氷片７の表面が更に滑らかになる。
【００２５】  ところで、炭酸液から炭酸ガスが抜け出る原因は、二つあり、その一つは炭酸液が粗い表面を有する氷片７に接触することで溶け込んでいる炭酸ガスが抜け出すから（炭酸ガス抜け出し要因１）であり、他の一つは、炭酸液が容器６の内壁面に直接衝突しその衝撃によって溶け込んでいる炭酸ガスが抜け出すから(炭酸ガス抜け出し要因２)である。
【００２６】  図２は、炭酸ガス抜け出し要因を説明する図であり、（Ａ）は、炭酸ガス抜け出し要因１を、また（Ｂ）は、炭酸ガス抜け出し要因２を説明する模式図である。  本発明においては、「原料液吐出工程」を経ることにより、容器６内の氷片７の表面の粗さは消失して滑らかに変化するので、この状態においては氷片７に炭酸液が接触しても溶け込んでいる炭酸ガスが抜け出すことはない。  すなわち前述の炭酸ガス抜け出し要因１は解消されている。
【００２７】２）炭酸液吐出工程  次に「炭酸液吐出工程」においては、炭酸液を吐出するが、既に「原料液吐出工程」を経たことにより、前述の抜け出し要因１は解消されている。  したがって、容器６に炭酸液が吐出され氷片７と接触しても、炭酸ガスは抜け出さない。  ここで炭酸液を容器６に吐出する場合、炭酸液を、直接、容器６の内壁面に衝突しないように、容器６の内壁面に沿うようにして吐出することが好ましい。  そのため炭酸液ノズル２はパイプ状のノズルが下方に伸びて屈曲し容器６の内壁面に沿うような状態で配置される。
【００２８】  そして、炭酸液ノズル２は、容器６の内壁面に対して傾斜して配置される。  詳しくは、炭酸液ノズル２の液の吐出方向（液の飛び出し方向）は、対向する容器６の内壁面の水平接線方向に対して一定角度θだけ傾斜して吐出するように設けられている。この場合、角度θは、炭酸液ノズル２の中心軸線と内壁面との交差点における接線方向とのなす角をいう。
【００２９】  このような炭酸液ノズル２の特殊な配設構造によって、吐出された炭酸液は、容器６の内壁面に、直接、衝突することはなく、その壁面に沿って流れ落ちることとなる。  詳しくは、炭酸液は、容器６の内壁面に沿って略水平方向に吐出された後、重力により内壁面に沿って螺旋を描くように効率良く流れる。  そのため炭酸液が容器６の内壁面に直接衝突しその衝撃により溶け込んでいる炭酸ガスが抜け出すようなことが回避され、前述の第２の抜け出し理由も解消される。
【００３０】  以上のように、本発明では、少なくとも「炭酸液吐出工程」を「原料液吐出工程」の後工程とし、両工程の間で前後差を設けたことにより、炭酸液の吐出時、炭酸液が粗い表面を有する氷片７に接触することがなく、炭酸ガスが抜け出ることが防止されるのである。
【００３１】  加えて、「炭酸液吐出工程」において、炭酸液が容器６の内壁面に沿うようにして吐出することにより、詳しくは、炭酸液ノズル２の液の吐出方向（液の飛び出し方向）を、対向する容器６の内壁面の水平接線方向に対して一定角度θだけ傾斜して吐出するようにしたことにより、炭酸液が、直接、容器６の内壁面に衝突しないため、炭酸ガスが抜け出ることが防止されるのである。  その結果、高炭酸飲料が得られることとなる。
【００３２】（高炭酸飲料の供給装置）  以上、高炭酸飲料の供給方法を工程別に述べたが、次に高炭酸飲料の供給方法を達成するための装置を以下に説明する。
【００３３】  図３は、高炭酸飲料の供給装置Ａが備わっている炭酸飲料サーバ装置Ｘを示す全体概略図である。  炭酸飲料サーバ装置Ｘの前面部には高炭酸飲料の供給装置Ａが備わっている。  高炭酸飲料の供給装置Ａは、原料液を吐出する原料液ノズル１と、炭酸液を吐出する炭酸液ノズル２とを備え、これら各ノズルから所定の距離離れた下方には容器６の受け部３が設けられ、この受け部３の目皿部３１の上に、使用するべき氷片７を入れた容器６が仮置きされることとなる。  目皿部３１は、高炭酸飲料の供給が終わった容器６も仮置きでき、容器６に対して更なる作業を行う場合の作業台としても使用することができる。  更なる作業とは、カットした果実片（レモン、ライム、グレープフルーツ等）を容器６に投入する、原料液と炭酸液の混合がなんらかの理由で不十分に思われた場合にマドラーなどで手動により攪拌混合する、などである。
【００３４】  容器６の受け部３の上方（原料液ノズル１、炭酸液ノズル２の下方）には、ガイド部４が設けられている（図３参照）。  ここで図４は、ガイド部を拡大して示す斜視図であり、図５は、ガイド部と容器上部との配設関係を拡大して示す図であり、（Ａ）は、容器を位置決めする前、（Ｂ）は、容器を位置決めした後を示す。  ガイド部４は、容器６の上部側面形状に応じたカーブを有する部分である凹部４１と、容器６の上端部の一部に被さる部分である凸部４２を備える。  位置決めの際は、受け部３に仮置きした容器６を持ち上げてこのガイド部４に合わせることにより、容器６は、宙に浮いた状態で、上下方向及び左右方向の２方向が共に原料液ノズル１と炭酸液ノズル２の下方の適正な部位に位置決めされる。
【００３５】  図６は、容器を示す図であり、（Ａ）は氷片を入れる前の状態、（Ｂ）は氷片を入れた後の状態、を示す。
【００３６】  また図７は、ガイド部４に容器６を合わせたときの原料液ノズル１と炭酸液ノズル２と容器６の内壁面との配設関係を示した概略斜視図である。  なお、ガイド部４は省略している。
【００３７】  また図８は、原料液ノズル１と炭酸液ノズル２と容器６の内壁面との配設関係を示した概略図であり、（Ａ）は正面図、また(Ｂ)は背面図を断面で示す。  ここで原料液ノズル１は、図示しない原料液タンクに連結されており、位置決めされた容器６の中央部に吐出するように配置されている。  そして原料液ノズル１は、複数の孔Ｈを備えており、確実に氷片７の全体に偏りなく原料液を散布することができる。
【００３８】  図９は、原料液ノズル１のノズル口部１Ａの例を示す図であり、（Ａ）は、縦断面図、また(Ｂ)は、底面図を示す。  この例は、中心部の孔Ｈの他、更に周囲に８個の孔Ｈを備え、合計９個の孔を有するものである。  なお、高炭酸飲料の供給装置Ａには、原料液ノズル１と連結されたカートリッジ貯留器Ａ１が備わっており(図３参照)、このカートリッジ貯留器Ａ１に一定量充填された原料液が原料液操作レバー１１を操作することで一定量（ワンショット分）ごとに原料液ノズル１を介して容器６に吐出される。  ワンショットとは、容器一杯分の高炭酸飲料の供給に必要な原料液の量で３０ｍｌ、４５ｍｌ、６０ｍｌ等であることが多いが、原料液の種類や作りたい高炭酸飲料の種類により適宜設定される。
【００３９】  なお、カートリッジ貯留器Ａ１は原料液タンクに連結されており、原料液タンクから原料液供給流路を通って原料液が一定量（ワンショット分）カートリッジ貯留器Ａ１に充填される。  一方、炭酸液ノズル２は図示しない炭酸液製造タンクに連結されており、炭酸液操作レバー２１を操作することで炭酸液製造タンクから冷却された炭酸液が炭酸液ノズル２を介して容器６に供給される。
【００４０】  炭酸液ノズル２はパイプ状のノズルが下方に伸びて屈曲し容器６の内壁面に沿うような形で配置される。  そして炭酸液ノズル２は、容器６の内壁面に対して傾斜して配置される。  詳しくは、炭酸液ノズル２の液の吐出方向（液の飛び出し方向）を、対向する容器６の内壁面の水平接線方向に対して一定角度θだけ傾斜して吐出するようにした。  ここで、角度θは、炭酸液ノズル２の中心軸線と内壁面との交差点における接線方向とのなす角をいう。  この場合、傾斜する角度θは、９０度未満が採用されるが、炭酸ガスの泡発生を極力抑える観点から、例えば１０〜７０度が好ましく採用される。
【００４１】  図１０は炭酸液ノズル２の開口面と容器６の内壁面との傾斜関係を説明する図である。  このように液の吐出方向を角度θだけ傾斜させたことにより、炭酸液は確実に容器６の内壁面に沿うようにして螺旋状に効率よく流れることとなる。
【００４２】  次に、この高炭酸飲料の供給装置Ａを使って容器６に原料液と炭酸液を供給する手順を説明する。  １）まず、最初に氷片７を入れた容器６を用意する（図６（Ｂ）参照）。  ２）氷片７を入れた容器６を受け部３に仮置する。  ついで容器６を持ち上げ、容器６をガイド部４に合わせる。  この時、容器６は、宙に浮いた状態で、ガイド部４によって上下方向と左右方向の２方向ともに位置決めされ、原料液ノズル１が容器６の中央部上方に位置し、且つ炭酸液ノズル２は容器６の内壁面に沿うように配置される（図５、図７参照）。
【００４３】  この状態では、液の吐出方向(液の飛び出し方向)が内壁面の水平接線方向に対して角度θだけ傾斜する（図１０参照）。
【００４４】  ３）原料液操作レバー１１を操作して原料液ノズル１から原料液（ウイスキー等）を一定量（例えば４０ｃｃ）吐出させる。  なお、便宜上、図８では炭酸液ノズル２からも炭酸液を吐出するように螺旋状の矢印を示しているが、この炭酸液の吐出は、後ほど行われるものである。  吐出された原料液は、容器６内の氷片７に降りかかり、氷片７の粗い表面を滑らかにする。
【００４５】  すなわち、氷片７の表面のバリ等を消失させて滑らかな面にする。  これで上述の炭酸ガス抜け出し要因１が解消される。  原料液ノズル１は、容器６の中央部に位置しているので、原料液は氷片７全体に偏りなく降りかかり、また原料液ノズル１のノズル口部１Ａが複数の孔を備えていることにより（図９参照）、原料液は氷片７全体に散布される。
【００４６】  ４）次に炭酸液操作レバー２１を操作して炭酸液ノズル２から炭酸液を一定量（例えば１６０ｃｃ）吐出させるが、炭酸液は、容器６の内壁面に沿って流れる（図８参照）。  しかも炭酸液の吐出方向を容器６の内壁面に対して角度θだけ傾斜させた状態で吐出させるので、衝撃がなく炭酸ガスが抜け出すことはない。
【００４７】  これで炭酸ガス抜け出し要因２が解消される。  このように炭酸液は容器６の内壁面に直接衝突しないだけでなく、氷片７にも、直接には極力降りかからない。  因みに容器６の底部で溜まった炭酸液が氷片７に接触しても、既に原料液によって氷片７の表面が均一に円滑化されているので炭酸液から炭酸ガスが抜け出さない。
【００４８】  ５）このように炭酸液ノズル２から炭酸液を吐出することで、最終的に容器６の中で原料液と炭酸液とが混ざり合い、炭酸飲料が製造される。  ６）最後に炭酸飲料が入った容器６をガイド部４から取り去る。  以上で氷片７の入った容器６に原料液と炭酸液を供給する手順が完了する。
【００４９】  以上、本発明を説明してきたが、本発明は実施の形態に限定されることなく種々の変形例が可能である。  例えば、炭酸飲料を飲む者の好みに対応できるように、濃さを調整のための別の原料液ノズルを設けることも可能である。
【００５０】  本来、ワンショット分の原料液は、その量が規定されているので、お客の好みにより濃い炭酸飲料が求められる場合には対応できない。  このような場合は、炭酸飲料を濃くするため更に加算用原料液を追加する原料液追加用ノズル（原料液タンクに連結されている）を設けることで対応する。
【００５１】  図１１は、原料液追加用ノズルを設けた高炭酸飲料の供給装置Ａが備わっている炭酸飲料液サーバ装置を示す全体概略図である。
【００５２】  図１２は、原料液追加用ノズル５を設けた場合における容器６の内壁面との配設関係を示した概略斜視図である。 従って、原料液の濃い飲料液を好む者に対しては、この原料液追加用ノズルの操作レバー（図示しない）を操作して加算用原料液を容器６に余分に追加する。
【００５３】 原料液追加用ノズルからの加算用原料液の追加は、上述した原料液吐出工程の直後でもよいし、また炭酸液吐出工程の後でもよい。 ところで図１１及び図１２に示す高炭酸飲料の供給装置は、カートリッジ貯留器Ａ１を備えていて、原則的に、ワンショット分の原料液を容器に吐出する機能を有するものである。  そのため原料液ノズル１と原料液追加用ノズル５と炭酸液ノズル２の３つのノズルが必要となる。カートリッジ貯留器Ａ１を備えず、直接、原料液タンクＴから原料液ノズル１に原料液を流すようにすることで、ノズルの数を少なくすることができる。
【００５４】  図１３は、このような原料液タンクＴから、直接、原料液ノズル１に原料液を流すようにした高炭酸飲料の供給装置Ａにおける原料液流路の説明図である。 ここでは、原料液タンクＴと原料液ノズル１との間に、原料液供給流路１４Ａを設け、該原料液供給流路１４Ａに弁体１３Ａを設ける。 この場合、弁体１３Ａを電磁弁にしてスイッチの切り替えにより開閉可能とすることにより、容器に吐出する原料液の量を多くしたり、或いは少なくしたり、自由に調整することができる。 電気的駆動により電磁弁を切り替えをする場合、原料液を一定量の吐出量になるように設定することも当然可能である。  また原料液操作レバーを動かして機械的駆動により弁体１３Ａを開閉できるようにすることも当前、設計変更可能である。 そして原料液操作レバーの操作により、容器に吐き出す原料液の量を多くしたり、或いは少なくしたり、自由に調整することができる。
【００５５】  なお、参考までに、図３に示す高炭酸飲料の供給装置における原料液流路の説明図を図１４に示す。 この場合、カートリッジ貯留器Ａ１の前後である原料液注出流路１２と原料液供給流路１４には、それぞれ第１弁体１３と第２弁体１５とが設けられている。
【産業上の利用可能性】
【００５６】  本発明の高炭酸飲料の供給方法は、最初に常温の原料液を氷片７に接触させながら吐出し、該原料液の吐出が終了した後、炭酸液を容器６に吐出するので、最初に、原料液によって氷片７の表面のバリ等が溶けて消失し粗い表面が滑らかになり、合わせて氷の表面が原料液でコーティングされた状態になるので氷片７の表面が更に滑らかになる。  そのため、後ほど吐出される炭酸液が氷片７と接触しても炭酸液に含まれる炭酸ガスは抜け出さない。  この原理を利用できる限りガスを含む液を吐出する方法に広く利用が可能である。
【符号の説明】
【００５７】１・・・原料液ノズル１Ａ・・・ノズル口部１２・・・原料液注出流路１３・・・第１弁体１４・・・原料液供流路１５・・・第２弁体２・・・炭酸液ノズル２Ａ・・・開口面２１・・・炭酸液操作レバー３・・・受け部３１・・・目皿部４・・・ガイド部５・・・原料液追加用ノズル６・・・容器７・・・氷片Ａ・・・高炭酸飲料の供給装置Ａ１・・・カートリッジ貯留器Ｈ・・・孔Ｘ・・・炭酸飲料サーバ装置
【図１】
0006595995.tif 000002
【図２】
0006595995.tif 000003
【図３】
0006595995.tif 000004
【図４】
0006595995.tif 000005
【図５】
0006595995.tif 000006
【図６】
0006595995.tif 000007
【図７】
0006595995.tif 000008
【図８】
0006595995.tif 000009
【図９】
0006595995.tif 000010
【図１０】
0006595995.tif 000011
【図１１】
0006595995.tif 000012
【図１２】
0006595995.tif 000013
【図１３】
0006595995.tif 000014
【図１４】
0006595995.tif 000015